(57)【要約】【課題】  映像信号表示装置に映像信号が入力されなくなっても、ＨＤＭＩケーブルで接続されたＡＶ増幅装置やその他の再生装置が自動的にパワーオフしないようにする。【解決手段】  映像信号を表示する映像信号表示装置（１０）と、映像信号および音声信号の少なくとも一方を含むメディアコンテンツを再生する再生装置（４０）と、再生装置からの映像信号または音声信号が入力され、映像信号を含む場合には映像信号表示装置に映像信号およびまたは音声信号を出力するＡＶ増幅装置（２０）と、を備える映像音声再生システムにおいて、映像信号表示装置と増幅装置とはＨＤＭＩのケーブルで接続され、ＡＶ増幅装置と再生装置とはＨＤＭＩケーブルで接続され、ＡＶ増幅装置は、映像信号表示装置からのＣＥＣ信号を制御するＣＥＣ信号制御手段２４を備える。【選択図】  図１
2010087686.tif 000002
【特許請求の範囲】
【請求項１】
映像信号を表示する映像信号表示装置と、
映像信号および音声信号の少なくとも一方を含むメディアコンテンツを再生する再生装置と、
上記再生装置からの映像信号または音声信号が入力され、映像信号および／または音声信号を出力するＡＶ（Ａｕｄｉｏ−Ｖｉｄｅｏ）増幅装置と、
を備える映像音声再生システムにおいて、
上記映像信号表示装置とＡＶ増幅装置とはＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）規格のケーブルで接続され、
上記ＡＶ増幅装置と上記再生装置とはＨＤＭＩ規格のケーブルで接続され、
上記ＡＶ増幅装置は、上記映像信号表示装置からのＣＥＣ（Ｃｏｎｓｕｍｅｒ  Ｅｌｅｃｔｒｏｎｉｃｓ  Ｃｏｎｔｒｏｌ）規格の信号を制御するＣＥＣ信号制御手段を備える、
ことを特徴とする映像音声再生システム。
【請求項２】
請求項１記載の映像音声再生システムにおいて、
前記ＡＶ増幅装置は、前記再生装置と前記ＨＤＭＩ規格のケーブルとは別ケーブルにより接続されて前記再生装置の情報を取得し、
前記ＣＥＣ信号制御手段は、前記再生装置が映像信号を出力していないことを検出し、前記取得した再生装置の情報に応じて、前記映像信号表示装置からのスタンバイメッセージ信号を送信しない、
ことを特徴とする映像音声再生システム。
【請求項３】
映像信号を表示する映像信号表示装置と、
映像信号および音声信号の少なくとも一方を含むメディアコンテンツを再生する再生装置と、
上記再生装置からの映像信号または音声信号が入力され、上記映像信号表示装置に映像信号および／または音声信号を出力するＡＶ増幅装置と、
を備える映像音声再生システムにおいて、
上記映像信号表示装置と上記ＡＶ増幅装置とはＨＤＭＩ規格のケーブルで接続され、
上記ＡＶ増幅装置と上記再生装置とはＨＤＭＩ規格のケーブルで接続されるとともに、上記再生装置の情報を取得するために上記ＨＤＭＩ規格のケーブルとは別ケーブルで接続され、
上記ＡＶ増幅装置は、上記別ケーブルで上記再生装置が映像信号を出力していないことを検出したときは、上記再生装置に対してＣＥＣ規格の信号として、パワーオンメッセージ信号を送信する手段を含む、
ことを特徴とする映像音声再生システム。
【請求項４】
請求項３記載の映像音声再生システムにおいて、
前記ＡＶ増幅装置は、前記再生装置が音声信号を記録した記録媒体を再生している場合には、再生しているアドレス情報を取得し、前記映像信号表示装置からＣＥＣ規格の信号のスタンバイメッセージ信号が送信されてきても、前記取得したアドレス情報の位置までスキップアップを指示する信号を送信する手段を含む、
ことを特徴とする映像音声再生システム。
【請求項５】
映像信号表示装置と、映像信号および音声信号の少なくとも一方を含むメディアコンテンツを再生する再生装置とにそれぞれＨＤＭＩ規格のケーブルを介して接続されたＡＶ増幅装置において、
上記再生装置からの映像信号または音声信号が入力され、映像信号および／または音声信号を上記映像信号表示装置に出力する構成であり、
上記映像信号表示装置からのＣＥＣ規格の信号を制御するＣＥＣ信号制御手段を備える、
ことを特徴とするＡＶ増幅装置。
【請求項６】
請求項５記載のＡＶ増幅装置において、
前記再生装置との間で前記ＨＤＭＩ規格のケーブルとは別ケーブルにより前記再生装置の情報を取得し、
前記ＣＥＣ信号制御手段は、前記再生装置が映像信号を出力していないことを検出した場合は、前記取得した再生装置の情報に応じて、前記映像信号表示装置からのスタンバイメッセージ信号を送信しない、
ことを特徴とするＡＶ増幅装置。
【請求項７】
映像信号表示装置と、映像信号および音声信号の少なくとも一方を含むメディアコンテンツを再生する再生装置とにそれぞれＨＤＭＩ規格のケーブルを介して接続されたＡＶ増幅装置において、
上記再生装置からの映像信号または音声信号が入力され、上記記映像信号表示装置に映像信号および／または音声信号を出力する構成であり、
上記ＡＶ増幅装置と上記再生装置とは、上記再生装置の情報を取得するために上記ＨＤＭＩ規格のケーブルとは別ケーブルで接続され、
上記別ケーブルで上記再生装置が映像信号を出力していないことを検出した場合は、上記再生装置に対してＣＥＣ規格の信号として、パワーオンメッセージを送信する手段を備える、
ことを特徴とするＡＶ増幅装置。
【請求項８】
請求項７記載のＡＶ増幅装置において、
前記再生装置が音声信号を記録した記録媒体を再生している場合には、再生しているアドレス情報を取得し、前記映像信号表示装置からＣＥＣ規格の信号のスタンバイメッセージ信号が送信されてきても、前記取得したアドレス情報の位置までスキップアップを指示する信号を送信する手段を備える、
ことを特徴とするＡＶ増幅装置。
【請求項９】
コンピュータにインストールすることにより、
当該コンピュータを請求項５または６記載のＡＶ増幅装置のＣＥＣ信号制御手段として機能させるプログラム。
【請求項１０】
コンピュータにインストールすることにより、
当該コンピュータを請求項７または８記載のＡＶ増幅装置のパワーオンメッセージ信号を送信する手段として機能させるプログラム。
【発明の詳細な説明】
【技術分野】
【０００１】
本発明は、映像音声再生システム、ＡＶ増幅装置およびプログラムに関する。
【背景技術】
【０００２】
映像信号表示装置となるテレビジョン装置、ＤＶＤ（Ｄｉｇｉｔａｌ  Ｖｅｒｓａｔｉｌｅ  Ｄｉｓｃ）プレーヤ、ＡＶ（Ａｕｄｉｏ  Ｖｉｄｅｏ  以下ＡＶという）増幅装置をそれぞれＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）規格のケーブル（以下ＨＤＭＩケーブルという）で接続した映像音声再生システムが提案されている。プレーヤとしては、ＤＶＤプレーヤに限られず、ハードディスクレコーダ、パーソナルコンピュータ、携帯型プレーヤあるいはネットワークを介して映像信号あるいは音声信号を受信する装置も含まれ、それらがＨＤＭＩケーブルで接続されて映像音楽再生システムを構成している。
【０００３】
ＨＤＭＩケーブルにはＨＤＭＩケーブルで接続された各機器を制御するためのＣＥＣ（Ｃｏｎｓｕｍｅｒ  Ｅｌｅｃｔｒｏｎｉｃｓ  Ｃｏｎｔｒｏｌ  以下ＣＥＣという）コマンドを送受信するためのＣＥＣ信号ラインが含まれており、ＣＥＣコマンドを用いることにより、テレビジョン装置のリモートコントローラから、プレーヤを操作するなどが可能である。このＣＥＣコマンドを利用した技術は、特許出願されている（特許文献１、２参照）。
【０００４】
このＣＥＣコマンドの一つに、システムスタンバイメッセージがある。システムスタンバイとは、例えば、映像信号が一定時間テレビジョン装置に入力されないときは、テレビジョン装置が入力がないとして、ある一定時間経過するとスリープ状態になり、ＨＤＭＩケーブルで接続された周辺機器に対してスタンバイメッセージを送信して、スタンバイメッセージを受信した周辺機器のＡＶ増幅装置やプレーヤをパワーオフすることができる機能である。これにより、テレビジョン装置の電源オフにより他の装置もワンタッチでパワーオフすることができるので、システムを構成する機器の操作が簡単になり、不必要な機器のパワーオン状態がなくなるので、システム全体の電力消費を低減することができる利点がある。
【０００５】
【特許文献１】特開２００７−１７９７０７号公報
【特許文献２】特開２００８−５４１５６号公報
【発明の開示】
【発明が解決しようとする課題】
【０００６】
ところで、ＤＶＤ等のディスクに記憶されたメディアコンテンツを再生する再生装置を考えた場合、再生装置から映像信号が出力されないときがある。ＤＶＤ再生装置は、通常の音楽ＣＤも再生可能であり、音楽ＣＤを再生しているときは、音声信号は出力されても映像信号は出力されない。
【０００７】
このとき、ＨＤＭＩケーブルで接続されたテレビジョン装置は、接続されている再生装置−ＡＶ増幅装置からは映像信号が伝送されないので、自身はスリープ状態とし、スタンバイメッセージをＨＤＭＩケーブルのＣＥＣ信号ラインを用いてＡＶ増幅装置に送る。このスタンバイメッセージは、ＡＶ増幅装置にＨＤＭＩケーブルで接続された再生装置にもそのまま送信されるため、再生装置、ＡＶ増幅装置は、スタンバイメッセージを受信すると、パワーオフする。この結果、ＣＤで音楽を聞くときは、再度、再生装置、ＡＶ増幅装置にパワーオン操作を行う必要がでてくる。このため、ＤＶＤやＢＤ（Ｂｌｕ‐ｒａｙ  Ｄｉｓｃ）で映画のような映像をみようとするときと、単にＣＤで音楽を聞こうとするときとでは、ＡＶ増幅装置、再生装置の設定を変更する必要がある。
【０００８】
この動作の説明を図９および図１０を参照して説明する。
【０００９】
図９は、テレビジョン装置１０、ＡＶ増幅装置２０、ディスク再生装置であるＤＶＤプレーヤ４０が、ＨＤＭＩケーブル６０、６１により接続された映像音声再生システムの例である。テレビジョン装置１０とＡＶ増幅装置２０とがＨＤＭＩケーブル６０により、ＡＶ増幅装置２０とＤＶＤプレーヤ４０とがＨＤＭＩケーブル６１によりそれぞれ接続されている。なお、この映像音声再生システムは、最小単位の機器で構成された例であり、ＡＶ増幅装置２０にＤＶＤプレーヤ４０だけでなく、映像および音楽を記録して再生するレコーダや同様の機能をもつＰＣなどが別途ＨＤＭＩケーブルで接続された構成でもよい。またテレビジョン装置１０に直接ＨＤＭＩケーブルで映像および音楽を記録して再生するレコーダが接続された構成でもよい。
【００１０】
図１０は、ＡＶ増幅装置２０、ＤＶＤプレーヤ４０がテレビジョン装置１０からＣＥＣメッセージを受信したときの動作を説明するフローチャートである。
【００１１】
テレビジョン装置１０は、ＡＶ増幅装置２０からＨＤＭＩケーブル６０を介して映像信号を受信しないときは、映像信号入力なしとして、スリープ状態になる。そして、テレビジョン装置１０は、ＨＤＭＩケーブル６０のＣＥＣ信号ラインによりスタンバイメッセージをＡＶ増幅装置２０に送信する。ＡＶ増幅装置２０は、ＣＥＣ信号ラインからＣＥＣ制御メッセージとして、スタンバイメッセージを受信したかを判断し（ステップＳ７２）、スタンバイメッセージを受信した場合、パワーオン中であれば、パワーオフ処理をする（ステップＳ７４）。
【００１２】
スタンバイメッセージではなく、他のメッセージを受信した場合（ステップＳ７２、Ｓ７５）には、受信したメッセージに対する処理を行う（ステップＳ７６）。このようなＣＥＣメッセージとしては、テレビジョン装置１０側からワンタッチでプレーヤとしてのレコーダに、録画を指示するものや、録画予約を行うコマンドなどがある。なお、スタンバイメッセージは、ＡＶ増幅装置２０を経由してＤＶＤプレーヤ４０に送られ、図１０に示す処理がＤＶＤプレーヤ４０においても行われる。
【００１３】
このように、テレビジョン装置１０は、ＡＶ増幅装置２０からＨＤＭＩケーブル６０を介して映像信号が送信されてこないと、ＡＶ増幅装置２０およびその先に接続されたＤＶＤプレーヤ４０に対してスタンバイメッセージを送信するので、それらの機器は、自動的にパワーオフしてしまい、音楽ＣＤを再生している場合に、ＡＶ増幅装置２０、ＤＶＤプレーヤ４０の電源がオフしてしまう。
【００１４】
また、ＣＤで音楽やその他の音声信号のみを再生するときと、ＤＶＤなどから映像信号を再生するときとで、再生装置としてのプレーヤ、ＡＶ増幅装置の設定をその都度変更する提案もなされているが、その都度設定変更を行うことは利用者にとっては煩わしい問題がある。
【００１５】
本発明は、このような問題を解決するもので、映像信号表示装置に映像信号が入力されなくなっても、ＨＤＭＩケーブルで接続されたＡＶ増幅装置やその他の再生装置が自動的にパワーオフしないようにすることを目的とする。
【課題を解決するための手段】
【００１６】
本発明の一つの側面は、映像信号を表示する映像信号表示装置と、映像信号および音声信号の少なくとも一方を含むメディアコンテンツを再生する再生装置と、上記再生装置からの映像信号または音声信号が入力され、映像信号および／または音声信号を出力するＡＶ増幅装置と、を備える映像音声再生システムにおいて、映像信号表示装置とＡＶ増幅装置とはＨＤＭＩ規格のケーブルで接続され、ＡＶ増幅装置と再生装置とはＨＤＭＩ規格のケーブルで接続され、ＡＶ増幅装置は、映像信号表示装置からのＣＥＣ規格の信号を制御するＣＥＣ信号制御手段を備える、ことを特徴とする。
【００１７】
なお、ＡＶ増幅装置は、再生装置とＨＤＭＩ規格のケーブルとは別ケーブルにより接続されて再生装置の情報を取得し、ＣＥＣ信号制御手段は、再生装置が映像信号を出力していないことを検出し、取得した再生装置の情報に応じて、映像信号表示装置からのスタンバイメッセージ信号を送信しないことができる。
【００１８】
本発明の他の側面は、映像信号を表示する映像信号表示装置と、映像信号および音声信号の少なくとも一方を含むメディアコンテンツを再生する再生装置と、再生装置からの映像信号または音声信号が入力され、映像信号表示装置に映像信号および／または音声信号を出力するＡＶ増幅装置と、を備える映像音声再生システムにおいて、映像信号表示装置とＡＶ増幅装置とはＨＤＭＩ規格のケーブルで接続され、ＡＶ増幅装置と再生装置とはＨＤＭＩ規格のケーブルで接続されるとともに、再生装置の情報を取得するためにＨＤＭＩ規格のケーブルとは別ケーブルで接続され、ＡＶ増幅装置は、別ケーブルで再生装置が映像信号を出力していないことを検出したときは、再生装置に対してＣＥＣ規格の信号として、パワーオンメッセージ信号を送信する手段を含む、ことを特徴とする。
【００１９】
ＡＶ増幅装置は、再生装置が音声信号を記録した記録媒体を再生している場合には、再生しているアドレス情報を取得し、映像信号表示装置からＣＥＣ規格の信号のスタンバイメッセージ信号が送信されてきても、取得したアドレス情報の位置までスキップアップを指示する信号を送信する手段を含むことができる。
【００２０】
本発明の別の側面は、映像信号表示装置と、映像信号および音声信号の少なくとも一方を含むメディアコンテンツを再生する再生装置とにそれぞれＨＤＭＩ規格のケーブルを介して接続されたＡＶ増幅装置において、再生装置からの映像信号または音声信号が入力され、映像信号および／または音声信号を映像信号表示装置に出力する構成であり、映像信号表示装置からのＣＥＣ規格の信号を制御するＣＥＣ信号制御手段を備える、ことを特徴とする。
【００２１】
再生装置との間でＨＤＭＩ規格のケーブルとは別ケーブルにより再生装置の情報を取得し、ＣＥＣ信号制御手段は、再生装置が映像信号を出力していないことを検出した場合は、取得した再生装置の情報に応じて、映像信号表示装置からのスタンバイメッセージ信号を送信しないことができる。
【００２２】
本発明の別の側面は、映像信号表示装置と、映像信号および音声信号の少なくとも一方を含むメディアコンテンツを再生する再生装置とにそれぞれＨＤＭＩ規格のケーブルを介して接続されたＡＶ増幅装置において、再生装置からの映像信号または音声信号が入力され、映像信号表示装置に映像信号および／または音声信号を出力する構成であり、ＡＶ増幅装置と再生装置とは、再生装置の情報を取得するためにＨＤＭＩ規格のケーブルとは別ケーブルで接続され、別ケーブルで上記再生装置が映像信号を出力していないことを検出した場合は、再生装置に対してＣＥＣ規格の信号として、パワーオンメッセージを送信する手段を備える、ことを特徴とする。
【００２３】
再生装置が音声信号を記録した記録媒体を再生している場合には、再生しているアドレス情報を取得し、映像信号表示装置からＣＥＣ規格の信号のスタンバイメッセージ信号が送信されてきても、取得したアドレス情報の位置までスキップアップを指示する信号を送信する手段を備えることができる。
【００２４】
本発明の他の側面は、コンピュータプログラムであり、コンピュータにインストールすることにより、当該コンピュータを上述のＡＶ増幅装置のＣＥＣ信号制御手段として機能させ、あるいはＡＶ増幅装置のパワーオンメッセージ信号を送信する手段として機能させる、ことを特徴とする。このプログラムは、記録媒体、通信回線を介してコンピュータにインストールすることができる。また、暗号化、あるいは圧縮処理されたプログラムを含む。
【発明の効果】
【００２５】
本発明によれば、再生装置で音声のみを再生しているときに、映像信号表示装置から映像信号が入力されないとして、スタンバイメッセージが映像信号表示装置にＨＤＭＩケーブルで接続されたＡＶ増幅装置あるいは再生装置に送信されたとしても、ＡＶ増幅装置あるいは再生装置が自動的にパワーオフすることはなく、音声信号の再生時と映像信号の再生時とで複雑な設定を行う必要がない効果が生ずる。
【発明を実施するための最良の形態】
【００２６】
以下図面を参照して本発明の実施の形態を説明する。
【００２７】
（第１実施の形態）
図１は、本発明の第１の実施の形態である映像音声再生システムの構成を示すものである。本発明第１実施の形態では、システムの最小構成として、映像信号表示装置となるテレビジョン装置１０と、スピーカを備えたＡＶ増幅装置２０と、再生装置としてのＤＶＤプレーヤ４０とで構成され、テレビジョン装置１０とＡＶ増幅装置２０とはＨＤＭＩケーブル６０で接続され、ＡＶ増幅装置２０とＤＶＤプレーヤ４０は、ＨＤＭＩケーブル６１で接続されるとともにＡＶケーブル６４で接続されている。この構成は、図９に示した構成と同様である。
【００２８】
ＨＤＭＩケーブル６０は、一端がテレビジョン装置１０のＨＤＭＩ入力端子（ＨＤＭＩ  ＩＮ）１１に接続され、他端がＡＶ増幅装置２０のＨＤＭＩ出力端子（ＨＤＭＩ  ＯＵＴ）２２に接続されている。また、ＨＤＭＩケーブル６１は、ＡＶ増幅装置２０のＨＤＭＩ入力端子２１とＤＶＤプレーヤ４０のＨＤＭＩ出力端子４１に接続されている。また、ＡＶ装置２０とＤＶＤプレーヤ４０とは、ＨＤＭＩケーブル６１とは別にＡＶケーブル６４によりＡＶ増幅装置２０のＡＶ入力端子（ＡＶ  ＩＮ）２３と、ＤＶＤプレーヤ４０のＡＶ出力端子（ＡＶ  ＯＵＴ）４２に接続されている。
【００２９】
ＡＶ増幅装置２０には、ＣＥＣ信号制御手段として、ＨＤＭＩケーブル６０のＣＥＣメッセージ（コマンド）を遮断するＣＥＣ遮断機能部２４が設けられている。このＣＥＣ遮断機能部２４は、ハードウェア的にＣＥＣ信号ラインを切断しあるいはＨＤＭＩケーブルのＣＥＣ接続端子部分で信号が到来しないようにして遮断することは可能であるが、ＡＶ増幅装置２０の制御部のソフトウェアによりテレビジョン装置１０からのスタンバイメッセージを検出してスタンバイメッセージについては無視、あるいは無効化などの処理により、遮断することが可能である。本実施の形態では、ＡＶ増幅装置２０内の制御部の信号処理動作（ソフトウェア処理）によりスタンバイメッセージを遮断する例で説明する。
【００３０】
図２は、ＡＶ増幅装置２０のブロック構成を示す図である。ここでは、ＣＥＣ遮断機能は、内部の制御回路、具体的にはマイコン３５によりソフト的に処理するものとしてある。
【００３１】
図２に示すＡＶ増幅装置は、映像信号および音声信号の増幅機能および他装置への出力機能を果たすとともに、ＨＤＭＩ信号の受信、送信、制御機能を果たす。
【００３２】
ＡＶ増幅装置２０は、アナログ音声または映像信号の処理を行う機能を有し、アナログ音声信号の処理機能、デジタル音声信号の処理機能、アナログ映像信号の処理機能、ＨＤＭＩケーブルから入力されるＨＤＭＩ信号処理機能を有している。
【００３３】
アナログ音声信号、デジタル音声信号の処理機能は、セレクタ２５、Ａ／Ｄ変換器２６、ＤＩＲ／ＣＯＤＥＣ（ｄｉｒｅｃｔ  ｄｉｇｉｔａｌ  ｉｎｐｕｔｓ／ｃｏｄｅｃ）部２７、ＤＳＰ（Ｄｉｇｉｔａｌ  ｓｉｇｎａｌ  ｐｒｏｃｅｓｓｏｒ）２８、Ｄ／Ａ変換器（Ｄｉｇｉｔａｌ／Ａｎａｌｏｇ  Ｃｏｎｖｅｒｔｅｒ）２９、アンプ部３０、リレー３１、スピーカ３２、およびマイコン３５が協働することで果たす。アナログ映像信号の処理機能は、ＶＩＤＥＯ制御部３３およびマイコン３５が果たす。ＨＤＭＩ信号処理の機能は、ＨＤＭＩ制御部３４およびマイコン３５が協働することで果たす。また、ＡＶ増幅装置２０には、表示部３６、操作部３７が設けられており、処理の状況を表示し、操作部３７を介してＡＶ増幅装置２０の操作が可能である。
【００３４】
アナログ１、２の端子に入力されたアナログ音声信号は、セレクタ２５、Ａ／Ｄ変換器２６により、デジタル信号に変換され、ＤＳＰ２８により信号処理が行われた後、Ｄ／Ａ変換器２９、アンプ部３０、出力の切り換えが行われるリレー３１を介してスピーカ３２に出力される。
【００３５】
また、デジタル信号の音声信号は、デジタル１、２の端子から入力され、ＤＩＲ／ＣＯＤＥＣ部２７によってＤＳＰ２８で処理可能なように符号化あるいは復号化されて、ＤＳＰ２８で処理され、アナログ音声信号と同様に、Ｄ／Ａ変換器２９、アンプ部３０、リレー３１を介してスピーカ３２に出力される。
【００３６】
アナログビデオ端子から入力されたアナログ映像信号は、ＶＩＤＥＯ制御部３３により処理されて、アナログビデオ出力端子に出力される。
【００３７】
ＤＶＤプレーヤ４０からＨＤＭＩケーブル６１によりＨＤＭＩＩＮ端子から入力された信号（デジタル映像信号またはデジタル音声信号）は、ＨＤＭＩ制御部３４で処理され、ＨＤＭＩＯＵＴ端子からテレビジョン装置１０側に出力される。ＨＤＭＩケーブル６１のＣＥＣ信号は、ＣＥＣＩＮ端子からマイコン３５に入力され、マイコン３５で処理されてＣＥＣＯＵＴ端子に出力される。マイコン３５は、ＡＶケーブル６４を介してＤＶＤプレーヤ４０からの再生メディア情報も入力されており、ＤＶＤプレーヤ４０がどのメディアを再生しているかを認識している。
【００３８】
他の実施の形態では、ＡＶ増幅装置２０内でＨＤＭＩＩＮ、ＨＤＭＩＯＵＴで、ＣＥＣ信号ラインが独立して、マイコン３５に入力された形態とし、ＡＶ増幅装置２０がＤＶＤプレーヤ４０の状態をＨＤＭＩケーブル６１とは別のＡＶケーブル６４で取得することも可能である。
【００３９】
次に、図３および図４のフローチャートを参照してＡＶ増幅装置２０、ＤＶＤプレーヤ４０の動作を説明する。図３は、ＡＶ増幅装置２０におけるＣＥＣメッセージの処理を説明するフローチャートであり、図４は、ＡＶ増幅装置２０におけるＤＶＤプレーヤ４０の状態監視処理を説明するフローチャートである。
【００４０】
ＡＶ増幅装置２０が、テレビジョン装置１０から、ＣＥＣメッセージとしてスタンバイメッセージを受信すると（ステップＳ１０）、ＤＶＤプレーヤ４０でＣＤ再生中（ＣＤの音声信号のみを再生）か否かを判断する（ステップＳ１１）。ＣＤ再生中であれば、スタンバイメッセージに対する処理を行うことなく、またＤＶＤプレーヤ４０にスタンバイメッセージを送信しないで次のメッセージ受信を待つ。これにより、スタンバイメッセージを受信しても、ＡＶ増幅装置２０もＤＶＤプレーヤ４０もパワーオフすることなく、ＣＤの再生を継続するので、ユーザはわざわざパワーオン処理をする必要はなくなる。
【００４１】
ＤＶＤプレーヤ４０でＣＤ再生中でない場合は、ＣＥＣリンクがオンに設定されているかを確認し（ステップＳ１２）、ＣＥＣリンクがオンに設定されている場合には、自装置であるＡＶ増幅装置２０をパワーオフにし（ステップＳ１３）、自ＡＶ増幅装置２０に接続されているＤＶＤプレーヤ４０に対してＣＥＣスタンバイメッセージを送信する（ステップＳ１４）。これにより、ＤＶＤプレーヤ４０がＣＤを再生中でない場合には、テレビジョン装置１０からのスタンバイメッセージにより、ＡＶ増幅装置２０、ＤＶＤプレーヤ４０は、パワーオフの状態になる。
【００４２】
ＡＶ増幅装置２０が、スタンバイメッセージではなく、その他のメッセージを受信した場合（ステップＳ１５）、宛先が接続されている全装置である場合（ステップＳ１６のＹｅｓ）には、ＣＥＣリンクが設定されているかを確認し（ステップＳ１７）、Ｙｅｓであれば、受信したメッセージに対する処理を行なう（ステップＳ１８）。メッセージの送信元がＡＶ増幅装置２０に接続されているＤＶＤプレーヤ４０であるかを判断し（ステップＳ１９）、送信元がＤＶＤプレーヤ４０の場合には、テレビジョン装置１０にＣＥＣ信号ラインで受信したＣＥＣメッセージを送信する（ステップＳ２０）。送信元がＤＶＤプレーヤ４０ではない場合には、ＡＶ増幅装置２０に接続されているＤＶＤプレーヤ４０にＣＥＣ信号ラインで受信したメッセージを送信する（ステップＳ２１）。このＣＥＣメッセージ処理により、スタンバイメッセージ以外については、送信元からのＣＥＣメッセージをいわばスルーしてＨＤＭＩケーブルで接続されている他の機器へ伝達することができる。
【００４３】
受信したＣＥＣメッセージがスタンバイメッセージではなく、その宛先がオーディオシステム（自ＡＶ増幅装置２０）であった場合（ステップＳ２２のＹｅｓ）、ＣＥＣリンクが設定されているかを確認（ステップＳ２３）したのち、Ｙｅｓであれば受信したメッセージに対する処理を行う（ステップＳ２４）。宛先が自装置に接続されたＤＶＤプレーヤ４０である場合（ステップＳ２５のＹｅｓ）には、接続されているＤＶＤプレーヤ４０に対してＣＥＣの受信メッセージを送信する（ステップＳ２６）。宛先がテレビジョン装置１０に対するものである場合（ステップＳ２７のＹｅｓ）には、送信元が自ＡＶ増幅装置２０に接続されているＤＶＤプレーヤ４０であることを確認し（ステップＳ２８）、Ｙｅｓであればテレビジョン装置１０にＣＥＣ信号ラインで受信したメッセージを送信する（ステップＳ２９）。
【００４４】
ステップＳ１５、Ｓ２７、Ｓ２８でＮｏとされた場合、および、ステップＳ１４、Ｓ２０、Ｓ２１、Ｓ２４、Ｓ２６、Ｓ２９の処理を終了すると、ＡＶ増幅装置２０は次のメッセージを待つ状態となる。なお、このフローチャートに示される判断およびメッセージの送受信の制御処理は、ＡＶ増幅装置２０内ではマイコン３５が行う。
【００４５】
次に図４にＡＶ増幅装置２０でのＡＶケーブル６４によるＤＶＤプレーヤ４０の状態監視による制御を説明するフローチャートを示して説明する。
【００４６】
ＡＶ増幅装置２０にＤＶＤプレーヤ４０が接続されているかを確認する（ステップＳ３０）。ＹｅｓであればステップＳ３１に移行しＤＶＤプレーヤ４０がパワーオン中であり（ステップＳ３１のＹｅｓ）、コンテンツを再生中であり（ステップＳ３２のＹｅｓ）、そのコンテンツがメディアＣＤ（音声）である場合（ステップＳ３３のＹｅｓ）であれば、ＤＶＤプレーヤ４０がＣＤ再生中を設定する（ステップＳ３４）。これにより、図３フローチャートのステップＳ１１に示すように、ＣＤ再生中の場合は、スタンバイメッセージを遮断して、ＤＶＤプレーヤ４０に送信することはせず、また自装置へのスタンバイメッセージの入力を無効として、ＣＤ再生を継続させることができる。
【００４７】
なお、ＡＶ増幅装置２０にＤＶＤプレーヤ４０が接続されていない場合（ステップＳ３０ではＮｏ）には、プレーヤ未接続を設定する（ステップＳ３５）。また、ＤＶＤプレーヤ４０がパワーオン中でない場合（ステップＳ３１でＮｏ）には、プレーヤパワーオフを設定する（ステップＳ３６）。メディア再生中でない場合（ステップＳ３２でＮｏ）は、再生動作停止中を設定する（ステップＳ３７）。メディアＣＤ再生中でない場合（ステップＳ３３でＮｏ）は、ＣＤ以外再生中を設定する（ステップＳ３８）。
【００４８】
ＡＶケーブル６４により、ＤＶＤプレーヤ４０の動作状態を監視して、ステップＳ３４〜Ｓ３８の設定をしておくことにより、テレビジョン装置１０からスタンバイメッセージが到来しても、ＡＶ増幅装置２０は、ＤＶＤプレーヤ４０の現在の状態を把握しているので、それに応じたスタンバイメッセージに対する処理を行うことができる。特にＣＤ再生中である場合は、テレビジョン装置１０からのスタンバイメッセージを無視、あるいは無効にし、あるいはマスクして遮断することで、ＤＶＤプレーヤ４０をスタンバイ状態にしてパワーオフすることはなく、また自装置であるＡＶ増幅装置２０もパワーオフすることもなく、ＣＤ再生を継続させることができる。
【００４９】
（第２の実施の形態）
図５は、本発明の第２の実施の形態に係る映像音声再生システムの構成を示す図である。この構成は、複数のＡＶ装置がＨＤＭＩケーブルによって接続された映像音声再生システムの例である。
【００５０】
ここで、テレビジョン装置１０は、ＡＶ増幅装置２０と、第２のプレーヤ４１とそれぞれＨＤＭＩケーブル６０、６３で接続された構成であり、ＡＶ増幅装置２０は、ＨＤＭＩケーブル６１、６２で、第１のプレーヤとなるＤＶＤプレーヤ４０、レコーダ４２に接続され、かつＨＤＭＩケーブル６１、６２と別のＡＶケーブル６４、６５でそれぞれＤＶＤプレーヤ４０、レコーダ４２に接続されて、その状態を監視している構成である。なお、第１の実施の形態と同一機器には同一の符号を付して説明する。
【００５１】
このシステムでは、例えば第２のプレーヤ４１をＢＤプレーヤ、レコーダ４２をハードディスクレコーダまたはＤＶＤプレーヤとした場合、テレビジョン装置１０に映像信号が入力されない場合に、テレビジョン装置１０がスタンバイメッセージを出力したとしても、第２のプレーヤ４１は、パワーオフするが、ＤＶＤプレーヤ４０、レコーダ４２については、ＡＶ増幅装置２０により、ＣＥＣメッセージのスタンバイメッセージを遮断するから、ＤＶＤプレーヤ４０、レコーダ４２の双方ともパワーオフになることはない。なお、逆にＤＶＤプレーヤ４０、レコーダ４２を送信元とするＣＥＣメッセージは宛先の機器に送信されるので、図３のフローチャートで説明されているようにＤＶＤプレーヤ４０やレコーダ４２からのテレビジョン装置１０へのＣＥＣメッセージがＡＶ増幅装置２０によって送信処理される。
【００５２】
（第３の実施の形態）
次に第３の実施の形態を説明する。第１の実施の形態では、テレビジョン装置１０からＡＶ増幅装置２０に送信されたスタンバイメッセージは、ＤＶＤプレーヤ４０がＣＤ音声信号を再生している場合には、ＤＶＤプレーヤ４０に送信しないで遮断する例で説明したが、第３の実施の形態は、ＣＤの音声信号を再生している場合には、ＤＶＤプレーヤ４０で再生しているＣＤのトラック番号を別途取得しておき、スタンバイメッセージでＤＶＤプレーヤ４０がパワーオフしても、ＡＶ増幅装置２０からパワーオンメッセージを送信してパワーオンとし、取得しているＣＤのトラック番号までスキップアップして前に再生していたトラックから再生させる例で説明する。
【００５３】
ケーブルによる接続形態や機器構成は、図１と同じである。異なる点は、ＡＶ増幅器２０の構成である。すなわち、テレビジョン装置１０とＡＶ増幅装置２０との間は、ＨＤＭＩケーブル６０で接続し、ＡＶ増幅装置２０とＤＶＤプレーヤ４０との間は、ＨＤＭＩケーブル６１と、ＡＶケーブル６４とで接続されている。
【００５４】
図６に、第３の実施形態のＡＶ増幅装置２０の構成を示す。第１の実施の形態のＡＶ増幅装置２０との違いは、ＣＥＣ信号ラインの構成であり、図２の構成では、ＣＥＣ信号ラインは、ＨＤＭＩＩＮとＨＤＭＩＯＵＴで独立しているが、本実施の形態では独立していないところにある。しかし、ＡＶ増幅装置２０とＤＶＤプレーヤ４０とはＨＤＭＩケーブル６１と別にＡＶケーブル６４とで接続され、ＡＶ増幅装置２０はＤＶＤプレーヤ４０の状態を監視している点は第１の実施の形態と同じである。
【００５５】
図７のフローチャートを参照して第３の実施の形態を説明する。図７は、図３のフローチャートに対応するものであり、ＡＶ増幅装置２０におけるＣＥＣメッセージの処理を説明する。
【００５６】
第３の実施の形態は、テレビジョン装置１０からのスタンバイメッセージを受信した場合、ＤＶＤプレーヤ４０がそのスタンバイメッセージでパワーオフしたときに、ＡＶ増幅装置２０がＤＶＤプレーヤ４０にパワーオンメッセージを送信してパワーオンさせ、取得していた直前まで再生していたＣＤのトラック番号をＣＥＣメッセージを使ってスキップアップさせ、パワーオフする前からの再生を継続させるように制御させることに特徴がある。
【００５７】
ＡＶ増幅装置２０がテレビジョン装置１０からのスタンバイメッセージを受信すると（ステップＳ５０でＹｅｓ）、ＣＥＣ信号ラインを介してＤＶＤプレーヤ４０にパワー状態確認メッセージを送信する（ステップＳ５１）。ＤＶＤプレーヤ４０がパワーオフしており（ステップＳ５２でＹｅｓ）、ＣＤ音楽を再生していた場合（ステップＳ５３でＹｅｓ）、ＣＥＣ信号ラインでＤＶＤプレーヤ４０にパワーオンメッセージを送信する（ステップＳ５４）。第１の実施の形態では、テレビジョン装置１０からのスタンバイメッセージを遮断するが、第３の実施の形態ではスタンバイメッセージを遮断する処理は行わない。代わりにスタンバイメッセージによってＤＶＤプレーヤ４０がパワーオフした場合には、ＣＥＣのパワーオンメッセージを送信してＤＶＤプレーヤ４０をパワーオンする点で相違する。
【００５８】
ＡＶ増幅装置２０はＣＥＣ信号ラインでＤＶＤプレーヤ４０にパワー状態確認メッセージを送信し（ステップＳ５５）、ＤＶＤプレーヤ４０がパワーオンした場合（ステップＳ５６でＹｅｓ）には、ＣＥＣ信号ラインでプレイメッセージを送信する（ステップＳ５７）。そして、トラック番号を「１」に設定し（ステップＳ５８）、この設定したトラック番号がパワーオフ前に再生していたトラック番号と一致している場合（ステップＳ５９でＹｅｓ）には、そのまま再生を継続させる（ステップＳ６０）。ここで、トラック番号が一致していない場合には、ＣＥＣメッセージでＤＶＤプレーヤ４０にスキップアップメッセージを送信する（ステップＳ７０）。このメッセージにより、ＤＶＤプレーヤ４０はトラック番号をインクリメントする（ステップＳ７１）。インクリメントされたトラック番号とトラックナンバーとが一致すれば、再生を継続させる（ステップＳ６０）。
【００５９】
なお、ここで、トラック番号を１に設定してから再生していたトラックと一致するまで、スキップアップ処理をさせているが、ＡＶ増幅装置２０で、パワーオフ前の再生中のトラック番号を記憶しておき、このトラック番号をＤＶＤプレーヤ４０に送信して再生を指示させることも可能である。また、ＣＥＣメッセージを使ってスキップアップさせることも可能であり、別ケーブルでスキップアップさせることも可能である。
【００６０】
ＤＶＤプレーヤ４０がパワーオフせずに、ＣＤ再生中である場合には、そのまま再生を継続し（ステップＳ７２のＹｅｓ）、次のメッセージの受信を待つ。ＤＶＤプレーヤ４０がＣＤ再生中でない場合（ステップＳ７２のＮｏ）で、ＣＥＣリンクがオンの場合（ステップＳ７３でＹｅｓ）には、パワーオフ処理を行う（ステップＳ７４）。ＣＥＣリンクがオンでない場合（ステップＳ７３でＮｏ）には、パワーオフ処理を行わず、ＣＤ再生を継続し、次のメッセージの受信を待つ。
【００６１】
受信したメッセージがスタンバイメッセージでない場合（ステップＳ５０でＮｏ）は、第１の実施の形態の動作と同様であり、その他のメッセージを受信した場合（ステップＳ７５でＹｅｓ）、宛先が全装置である場合には、ＣＥＣリンクが設定されているかを確認した上（ステップＳ７７でＹｅｓ）、受信したメッセージに対する処理を行う（ステップＳ７８）。ここで、ステップＳ７５、Ｓ７６、Ｓ７７、Ｓ７８は、第１の実施の形態のステップＳ１５、Ｓ１６、Ｓ１７、Ｓ１８に対応する。ステップＳ７９は、ステップＳ２２に対応するため、ステップＳ７９でＮｏの場合、ステップＳ５０に戻る処理とはせずに、第１の実施の形態のように、ステップＳ２５、Ｓ２６、Ｓ２７、Ｓ２８、Ｓ２９の処理を行うようにしてもよい。
【００６２】
図８は、ＨＤＭＩケーブル６１とは別のＡＶケーブル６４により、ＡＶ増幅装置２０に接続されているＤＶＤプレーヤ４０の状態を監視する動作を説明するフローチャートである。対応する第１の実施の形態の図４のフローチャートと比較すると、再生中のメディアがＣＤであった場合に、ＣＤ再生中を設定したのち、再生トラック番号を選定するステップＳ８５が異なるだけであり、他は共通である。
【００６３】
この第３の実施の形態では、ＣＥＣ信号ラインは従来と同じであり、ＣＤ再生中にテレビジョン装置１０からスタンバイメッセージが到来し、ＤＶＤプレーヤ４０がパワーオフした場合には、ＣＥＣメッセージのパワーオンコマンドをＨＤＭＩケーブル６１を用いてプレーヤに送信して実質的にＣＤ再生を継続させるように制御する点に特徴がある。そして、ＨＤＭＩケーブル６１とは別のケーブルとなるＡＶケーブル６４で、再生中のＣＤのトラック番号を取得しておいて、パワーオフ前のトラックから再生させるようにする。これにより、ＣＥＣ信号ラインを遮断することなく、ＡＶ増幅装置２０のマイコン３５内での処理で、スタンバイメッセージが到来する前の再生状態から再生を継続させることができるから、ユーザはなんらかの処理を行うことなく、ＣＤ再生を継続することができる効果がある。
【００６４】
（プログラムの実施の形態）
上述の第１、第２の実施の形態では、ＡＶ増幅装置２０のマイコン３５により、ＤＶＤプレーヤ４０が音声信号のＣＤを再生していることを検出したときは、テレビジョン装置１０からのスタンバイメッセージを遮断する機能を実現している。また第３の実施の形態では、ＤＶＤプレーヤ４０にパワーオンメッセージを送信する機能を実現している。このマイコン３５が実現しているＣＥＣメッセージ信号の遮断あるいは送信機能は、情報処理装置にプログラムをインストールすることにより、第１、第２の実施の形態および第３の実施の形態のＡＶ増幅装置２０の機能を実現することができる。
【００６５】
なお、上述の実施の形態は、プレーヤがＤＶＤプレーヤ４０で音声信号が記録されたＣＤを再生する場合の例で説明したが、ＤＶＤプレーヤ４０は一例であって、ＤＶＤプレーヤ４０によるＣＤ再生中の動作に限られない。音楽のみが記録されたＤＶＤを再生して、映像信号がテレビジョン装置に出力されない場合も同様である。また、ＤＶＤプレーヤではないディスクレコーダから映像信号ではなく、音声信号のみが出力された場合の映像音声再生システムにも適用できる。
【００６６】
さらに、ＤＶＤプレーヤ４０が、インターネットに接続されたＰＣ（パーソナルコンピュータ）であり、ＨＤＭＩケーブルによってＡＶ増幅装置２０、テレビジョン装置１０に接続されている場合であって、ＰＣからはインターネットラジオ放送のように音声信号のみが出力される場合であっても本発明を適用することができる。
【００６７】
また、映像信号表示装置としては、テレビジョン装置の他に、同様の機能を有するＰＣの表示装置を採用することができる。また、他の実施の形態では、スピーカから再生する場合として、ＣＤの例を説明したが、ＭＤ、ＨＤＤなどに入れられた場合にも適用することができる。
【図面の簡単な説明】
【００６８】
【図１】本発明の第１の実施の形態に係る映像音声再生システムの構成を示すブロック図である。
【図２】図１に示す映像音声再生システム中のＡＶ増幅装置の構成を示すブロック図である。
【図３】図２に示すＡＶ増幅装置におけるＣＥＣ信号の処理を説明するフローチャートである。
【図４】図２に示すＡＶ増幅装置におけるＤＶＤプレーヤの状態監視の処理を説明するフローチャートである。
【図５】本発明の第２の実施の形態の映像音声再生システムの構成を示すブロック図である。
【図６】本発明の第３の実施の形態の映像音声再生システム中のＡＶ増幅装置の構成を示すブロック図である。
【図７】図６に示すＡＶ増幅装置におけるＣＥＣ信号の処理を説明するフローチャートである。
【図８】本発明の第３の実施の形態の映像音声再生した中のＡＶ増幅装置におけるＤＶＤプレーヤの状態監視の処理を説明するフローチャートである。
【図９】従来の映像音声再生システムの構成を示すブロック図である。
【図１０】従来の映像音声再生システムにおけるＡＶ増幅装置の動作を説明するフローチャートである。
【符号の説明】
【００６９】
１０  テレビジョン装置（映像信号表示装置）
２０  ＡＶ増幅装置
４０  ＤＶＤプレーヤ（再生装置）
６０、６１、６２、６３  ＨＤＭＩケーブル
６４、６５  ＡＶケーブル
２４  ＣＥＣ遮断機能部（ＣＥＣ信号制御手段）
【図１】
2010087686.tif 000003
【図２】
2010087686.tif 000004
【図３】
2010087686.tif 000005
【図４】
2010087686.tif 000006
【図５】
2010087686.tif 000007
【図６】
2010087686.tif 000008
【図７】
2010087686.tif 000009
【図８】
2010087686.tif 000010
【図９】
2010087686.tif 000011
【図１０】
2010087686.tif 000012